(57)【特許請求の範囲】
【請求項１】
片方の眼用の映像を画面の右半分に、他方の眼用の映像を画面の左半分にくるようにして、立体写真型の３次元立体映像を撮影レンズに入光させるようにした立体写真撮影用の光学アダプター装置が装着可能に構成されたビデオカメラ装置において、
上記ビデオカメラ装置が、
上記立体写真撮影用の光学アダプター装置が装着されているか、
及び、上記立体写真撮影用の光学アダプター装置は、画像の縦横の圧縮比を変える変換手段を有しているかどうか、
について検出する検出手段を有しており、
該検出手段が検出した検出結果と対応する識別信号を、ビデオ信号の垂直ブランキング期間に書き込むようにして、該識別信号を上記撮影レンズに入光した３次元立体映像の映像信号にのせて出力するように構成したことを特徴とするビデオカメラ装置。
【発明の詳細な説明】
【０００１】
【発明の属する技術分野】
この発明は、いわゆる「立体写真（ステレオペア）」のように撮影したビデオ画像を処理することにより、右眼用と左眼用のそれぞれ専用の映像信号を得るようにしたビデオカメラ装置に関するものである。
【０００２】
【従来の技術】
いわゆる立体テレビなどの３次元立体視視覚装置が開発されても、これを見るための３次元（３Ｄ）用のソフトウェアを自分で撮影したり、記録再生するには、ビデオカメラ装置自体や撮影方法、ビデオテープレコーダ（ＶＴＲ）の取り扱いなどが大変であり、簡易的な方法が求められている。
【０００３】
３次元の立体映像を撮影するためには、通常２台のビデオカメラを、その撮影レンズを人間の両眼の幅（通常約６５ｍｍ）離して設置して行なう。この場合、特性の合った２台のビデオカメラを用意し、撮影レンズが眼幅だけ離れた状態にしっかりと固定する必要がある。しかもこの２つのビデオカメラから出る映像信号を、同期して動く２つのＶＴＲで記録再生する必要があった。
【０００４】
もっとも、現在ではいわゆるＷ−ＶＨＳのように、１本のテープで２つの映像信号を同時に録画できる機器が市販されているので、これを使って録画再生してやってもよい。この２つの映像信号を立体視するには、たとえば２台のビデオプロジェクターを用いて、互いに偏光方向が直交する投射光としてスクリーンに投影し、これに対応する偏光フィルターの付いた偏光眼鏡をかけて見る方法が知られている。
【０００５】
更に上記記録再生を簡単にする方法としては、左眼用、右眼用の２つの映像信号を、フィールド毎に交互に左眼用、右眼用の映像がくるようにした一つの映像信号にする技術が知られている。この信号をテレビ画面上に映し出し、同期して交互に片方の眼を塞ぐようにしたシャッター付き眼鏡をかけて見れば立体視できるわけである。
【０００６】
また、もっと簡易的な撮影方法としては、画面の右半分、左半分に、光学的手法により右眼用、左眼用の映像を映し出す、いわゆる「立体写真」のような形でビデオ撮影する手法を用いることである。さらに、「立体写真」を写真機でスライドを撮影するアダプターおよびビューワも市販されている。このアダプターで撮ると、右眼用は画面右半分に、左眼用は左半分に映されるので、小さなテレビ画面で２つの画面の中心のズレが眼幅以下ならば裸眼立体視が可能となる。さらにまた、もっと大画面の場合は、クサビ型の特殊レンズを付けて見ればよい（特開昭５９−３０３９０号公報参照）。
【０００７】
特に、上記特開昭５９−３０３９０号公報等で開示された簡単に立体撮影する方法は、ビデオカメラの撮像レンズの前にクサビ型のフィルターをかけ、いわゆる立体写真（ステレオペア）のように画面を撮影するというものである。そして、これを立体写真型のままでテレビ画面上に映しだし、クサビ型の特殊眼鏡をかけて立体視するというものであった。
【０００８】
【発明が解決しようとする課題】
しかしながら、上記の立体写真型撮影で撮った画像を立体視するには、テレビ画面の中央に顔を置くというように見る位置が限定されていた。しかも、画面を左右に２分割した縦長の映像しか見れないという不都合があった。
【０００９】
これを解決するために、立体写真型の映像信号をいわゆるフィールドシーケンシャルな立体信号に変換する技術を本出願人は開発しつつある（例えば、特願平７−３３４４２３号等）が、この立体信号型の映像信号を上記フィールドシーケンシャルな立体信号に変換するときに少なくとも縦横２倍、面積で４倍に拡大する必要があった。そのため変換後の映像の解像度は縦横ともに元の半分になってしまい、解像度をできるだけ落とさずに済む技術の開発が望まれている。
【００１０】
また、２次元（２Ｄ）と３次元（３Ｄ）のソフトウェアを併せて再生することを考えると、３Ｄの場合にいちいち設定する必要があり、３Ｄの映像信号が入力されたときには、自動的に回路が働き処理するような、自動化する技術が求められている。
【００１１】
さらに、立体写真型では映像が一つに画面の左右２つの小さいな画面となり、また、いわゆるフィールドシーケンシャルな映像は、シャッター眼鏡をかけずに見れば二重像に見えてしまう。すなわち、立体写真型やフィールドシーケンシャルな３Ｄ信号を入力した場合であっても、通常の２Ｄの映像をテレビ画面上で見られるようにする技術が求められている。
【００１２】
そこで、この発明は、画面の右半分、左半分に、光学的手法により右眼用、左眼用の映像を映し出す、いわゆる「立体写真」のような形でビデオ撮影する手法によって撮られた形の映像信号を、フィールド毎に交互に右眼用、左眼用の映像が入った映像信号に変換したり、または右眼用、左眼用の２つの独立した映像信号に変換する、すなわち、立体写真型の映像信号をいわゆるフィールドシーケンシャルな立体信号に変換したときに例えば縦方向の解像度を落とさずに３次元立体映像信号を得ることができ、しかも多人数が同時に横長の画面で見ることができるビデオカメラ装置を提供するものである。
【００１３】
片方の眼用の映像を画面の右半分に、他方の眼用の映像を画面の左半分にくるようにして、立体写真型の３次元立体映像を撮影レンズに入光させるようにした立体写真撮影用の光学アダプター装置が装着可能に構成されたビデオカメラ装置において、上記ビデオカメラ装置が、上記立体写真撮影用の光学アダプター装置が装着されているか、及び、上記立体写真撮影用の光学アダプター装置は、画像の縦横の圧縮比を変える変換手段を有しているかどうか、について検出する検出手段を有しており、該検出手段が検出した検出結果と対応する識別信号を、ビデオ信号の垂直ブランキング期間に書き込むようにして、該識別信号を上記撮影レンズに入光した３次元立体映像の映像信号にのせて出力するように構成した。
【００１４】
ビデオカメラ装置に、立体写真撮影用の光学アダプター装置が装着されると、光学アダプター装置が装着されたことと、該光学アダプター装置が画像の縦横の圧縮比を変える変換手段を有していることとを、検出手段が検出する。そして、この検出結果と対応する識別信号が、ビデオ信号の垂直ブランキング期間に、書き込まれる。そして、検出結果と対応する識別信号は、光学アダプター装置の撮影レンズに入光した３次元立体映像の映像信号に載せて出力される。
【００１５】
【発明の実施の形態】
以下、この発明の具体的な実施の形態例について図面を参照して説明する。
【００１６】
図１，図２及び図４は、この発明の第１の実施形態例の３次元立体映像信号変換装置１と該３次元立体映像信号変換装置１に接続された３次元立体映像信号撮影装置２を示す。この３次元立体映像信号撮影装置２はビデオカメラ装置３と該ビデオカメラ装置３のビデオカメラ本体３０の前側に着脱自在に取り付けられる立体写真撮影用の光学アダプター装置４とで構成されている。この光学アダプター装置４は、立体写真撮影用アダプター５と、この立体写真撮影用アダプター５に着脱自在な構造になっている縦長アダプター６とで構成されている。また、３次元立体映像信号変換装置１は、その筐型の装置本体１０の前面に４つの調整用操作つまみ１１を設けてある。さらに、３次元立体映像信号変換装置１には、ビデオテープレコーダ（ＶＴＲ）７とシャッター眼鏡付きの立体視装置８とを接続してある。
【００１７】
図１，２及び図４に示すように、ビデオカメラ装置３のビデオカメラ本体３０は合成樹脂等により筐型に形成してあり、該ビデオカメラ本体３０には撮像部としての固体撮像素子（ＣＣＤ）３１を内蔵してある。この固体撮像素子３１で撮影した映像信号は、増幅器３２と映像信号処理回路３３及び映像記録／再生回路３４を介してビデオカメラ本体３０に内蔵されたＶＴＲ３５により記録／再生されるようになっている。映像信号処理回路３３には、識別信号としてのＩＤ信号（５２５ラインの映像信号であって、例えば１６：９等のアスペクト比の異なる画像の信号及びこれに関連する情報信号をいう）を発生させるＩＤ信号発生回路３６を接続してある。また、映像記録／再生回路３４には液晶ドライブ回路３７を介して小型モニタとしての液晶ディスプレイ（ＬＣＤ）３８を接続してある。さらに、ビデオカメラ本体３０の前面の固体撮像素子３１に対向する位置には撮影レンズ３９を配置してあると共に、該ビデオカメラ本体３０の後面の液晶ディスプレイ３８に対向する位置には拡大レンズの付いたアイカップ３９Ａを着脱自在に取り付けてある。
【００１８】
また、図２及び図４に示すように、ビデオカメラ装置３のビデオカメラ本体３０のフィルタ取付用ねじ部（マウント部）３０Ａには、立体写真撮影用の光学アダプター装置４の立体写真撮影用アダプター５を着脱自在に螺着されるようになっている。即ち、立体写真撮影用アダプター５の外筐を形成する合成樹脂製等のケース（画像取り込み部）５０の左右両側傾斜壁５０ａ，５０ｂの内面には、左右一対の平面反射鏡５１Ｌ，５１Ｒを配置してある。また、ケース５０内の中央のついたて（図示省略）の後方には該ついたてとで三角筒状になると共に、上記一対の平面反射鏡５１Ｌ，５１Ｒと概略平行に対向する左右一対の平面反射鏡５２Ｌ，５２Ｒを配置してある。これにより、眼幅Ｄ（Ｄ≒６５ｍｍ）だけ離れた左右の眼から見たものに相当する映像が左半分、右半分に集光されて撮影レンズ３９に入るようになっている。また、上記ケース５０の後部には上下一対の爪部（係止部）５３，５３を一体突出形成してあり、該一対の爪部５３，５３が上記ビデオカメラ本体３０のフィルタ取付用ねじ部３０Ａに着脱自在に螺着されるようになっている。
【００１９】
さらに、立体写真撮影用アダプター５のケース５０の後部のビデオカメラ装置３のビデオカメラ本体３０の撮像レンズ３９側に合わさる面には、突起（スイッチ操作部）５４を一体突出形成してある。そして、立体写真撮像用アダプター５をビデオカメラ本体３０に装着すると、ケース５０の突起５４がビデオカメラ本体３０の撮像レンズ３９の周辺に位置する孔３０ａから挿入され、ビデオカメラ本体３０の内部にあるスイッチ（検出手段）３６ａがオンになって、立体写真撮像用アダプター５が装着されたことがビデオカメラ本体３０に検出されるようになっている。また、後述する縦長アダプター６を立体写真撮像用アダプター５に装着すると、ケース５０の上面にスライド自在に設けられた突起部５５がスライドされ、該突起部５５の先端の突起（スイッチ操作部）５６がケース５０の後部より出っ張るようになっている。そして、立体写真撮像用アダプター５がビデオカメラ本体３０に装着されていれば、ケース５０の突起５６がビデオカメラ本体３０の撮像レンズ３９の周辺に位置する孔３０ｂから挿入され、ビデオカメラ本体３０の内部にあるスイッチ（検出手段）３６ｂがオンになって、立体写真撮像用アダプター５に縦長アダプター６が装着されたことがビデオカメラ本体３０に検出されるようになっている。
【００２０】
図１〜図３に示すように、立体写真撮影用アダプター５のケース５０の前壁側に形成された画像取り込み部となる矩形状で左右一対の開口部５０ｃ，５０ｄ側には、縦長アダプター６を嵌め込み取り外し（着脱）自在に装着できるようになっていて、上記立体写真撮影用アダプター５と一体に使えるようになっている。この縦長アダプター６は、ケース５０の前部に着脱自在に嵌め込まれる矩形の枠部６０と、この枠部６０の正面側に形成された左右一対の開口部（画像取り込み部）６０ａ，６０ｂ内に嵌め込まれた凹状で一対のシリンドリカルレンズ（アナモルフィックレンズ）６１Ｌ，６１Ｒとで構成されている。上記枠部６０の一対の開口部６０ａ，６０ｂ、すなわち、画像の縦横の圧縮比を変える変換手段としての上記一対のシリンドリカルレンズ６１Ｌ，６１Ｒは、立体写真撮影用アダプター５のケース５０の画像取り込み部となる左右一対の開口部５０ｃ，５０ｄを十分カバーする大きさに形成してある。この一対のシリンドリカルレンズ６１Ｌ，６１Ｒ等のアナモルフィックレンズ（Ａｎａｍｏｒｐｈｉｃ  Ｌｅｎｓ）は、像面上で縦方向と横方向の倍率が異なる像を生ずるようにする（画角を縦または横方向のみ圧縮したりする）撮影や投影に用いられるレンズであり、このレンズを撮影時にビデオカメラに装着することにより、横方向のみに例えば３／４に縮めた映像を撮り、また、同様のレンズをビデオプロジェクターに装着して投影することにより、例えば１６：９のいわゆるワイド画面を得ることができるようにするものである。
【００２１】
図４に示すように、３次元立体映像信号変換装置１の装置本体１０の映像信号入力端子１０ａは、ビデオカメラ本体３０の映像記録／再生回路３４の映像信号出力端子３４ａに接続されている。このビデオカメラ本体３０の映像記録／再生回路３４の映像信号の出力信号が上記３次元立体映像信号変換装置１の装置本体１０に入力されると、該装置本体１０に内蔵された３次元立体映像信号変換回路１２により処理される。即ち、映像記録／再生回路３４からの映像出力信号（ＯＵＴ）をＡ（アナログ）／Ｄ（ディジタル）信号変換回路１３によりＡ／Ｄ変換した後で２次元メモリー１４に記憶し、この中から操作つまみ１１及び同期分離回路（Ｓｙｎｃ  ＳＥＰ）１５を接続したタイミングコントローラ１６により任意のタイミングで任意の拡大率（基点Ｘ１，Ｘ２、拡大率Ｘ，Ｙとする）で画像を一旦拡大してから切り取るようにしてある。そして、この３次元立体映像信号変換回路１２により切り取られて、画面いっぱいに拡大された左眼用の映像信号と右眼用の映像信号は、フィールド毎に交互に左眼用の映像信号と右眼用の映像信号が入った３次元立体映像信号に変換され、Ｄ／Ａ信号変換回路１７を介して装置本体１０の映像信号出力端子１０ｂに一つの映像信号（Ｓ）として出力されるようになっている。
【００２２】
また、ビデオカメラ本体３０の映像記録／再生回路３４から通常の２Ｄの映像信号のようなＩＤ信号のない映像信号が３次元立体映像信号変換装置１の装置本体１０に入力されると、該装置本体１０に内蔵されたＩＤ検出回路１８でチェックされ、映像切り替えスイッチ１９が図４中上方に切り替わって上記ＩＤ信号のない映像信号は３次元立体映像信号変換回路１２により処理されることなく入力されたものがそのまま出力されるようになっている。
【００２３】
さらに、図４に示すように、ＶＴＲ７と立体視装置としてのテレビジョン受像機８とは、３次元立体映像信号変換装置１０の映像信号出力端子１０ｂにそれぞれ接続されている。このテレビジョン受像機８では、そのブラウン管（画面）８０に映し出された例えば図３（Ｃ），（Ｄ）に示す左，右眼用の映像ｅＬ，ｅＲをシャッター付き眼鏡（特殊眼鏡）９０を使用して立体視するものである。即ち、シャッター付き眼鏡９０のフレーム９１の左右のレンズ取付枠部分には、液晶シャッター９２Ｌ，９２Ｒが入っていると共に、該フレーム９１の中央には図示しない受光部を取付けてある。この受光部は、テレビジョン受像機８上に設置された赤外線発光装置８１からの同期信号をコード化した赤外線を受光するものである。そして、シャッター付き眼鏡９０の受光部で赤外線発光装置８１の信号を受光し、シャッター付き眼鏡９０の左右一対の液晶シャッター９２Ｌ，９２Ｒを図３（Ｃ），（Ｄ）に示す上記各映像ｅＬ，ｅＲに合わせて交互に開閉することにより立体視できるようになっている。
【００２４】
以上第１の実施形態例の３次元立体映像信号変換装置１と３次元立体映像信号撮影装置２とＶＴＲ７及びテレビジョン受像機８からなる立体視システムを用いて、ビデオカメラ装置３で撮影した図３（Ａ）に示すような映像ａを立体視しようとする場合には、まず、図１，２に示すように、ビデオカメラ装置３のビデオカメラ本体３０のフィルタ取付用ねじ部３０Ａに立体写真撮影用の光学アダプター装置４を取り付ける。そして、図３（Ａ）に示すような情景ａ（海を背景にした女性の映像）を撮影する。この時、光学アダプター装置４の縦長アダプター６についている一対のアナモルフィックレンズ６１Ｌ，６１Ｒは縦横の倍率を別々に変える変換手段（光学系）なので、この場合横方向のみ１／２に縮めたような（縦方向のみ２倍に伸ばしたような）縦長な映像になる。
【００２５】
さらに、光学アダプター装置４の立体写真撮影用アダプター５により、横ならびの２枚の映像になるので、図３（Ｂ）に示すように、右眼で見た映像ｂＲと左眼で見た映像ｂＬが、縦長のかたちで一枚の画面ｂに半分半分になるようにされ、撮影レンズ３９に入光される（ここで、女性に対し背景のヤシの木、ヨット、雲等が、その距離により左右の眼の視差のため微妙にずれている）。
【００２６】
この撮影レンズ３９を通った図３（Ｂ）に示す映像ｂは、ビデオカメラ本体３０のＣＣＤ３１に映って撮影される。そして、この映像ｂがビデオカメラ本体３０により映像信号となり、３次元立体映像信号変換装置１により、図３（Ｃ），（Ｄ）に示すいわゆるフィールドシーケンシャルな３次元立体映像信号に変換される。詳述すると、図４において、突起５４によりスイッチ３６ａが入り、立体写真型の撮影をしているということ、及び、突起５６によりスイッチ３６ｂが入り、縦横の圧縮比の比率が１：２であることがビデオカメラ本体３０に認識される。するとＩＤ信号発生回路３６が働き、ビデオ信号の垂直ブランキング期間にＩＤ信号が書き込まれる。すなわち片方（右）の眼用の映像ｂＲを画面の右半分に、他方（左）の眼用の映像ｂＬを画面の左半分にくるようにした立体写真型の３次元立体映像信号について、この立体写真型の左右のそれぞれの像について、縦と横を異なる所定の寸法圧縮比で、かつ縦の圧縮比を横と比べ緩やかや圧縮比とした（すなわち縦長の縦方向を伸ばしたような、横方向を縮めたような映像にした）映像の３次元立体映像信号が、その旨のＩＤ信号を載ったものがビデオカメラ装置３から出力される。
【００２７】
そして、このＩＤ信号入りの３次元立体映像信号が３次元立体映像信号変換装置１に入力されると、入力された映像信号について、立体写真型の３次元立体映像信号であるという識別信号を検出したときには、映像切り替えスイッチ１９を図４中下にすると共に、自動的に、この立体写真型の３次元立体映像信号の右画面、左画面をそれぞれ切り取ってから上記画面の最大限の大きさに変換拡大し、これをフィールド毎に交互に右眼用の拡大された画面と、左眼用の拡大された画面がくるようにした映像信号を出力するように構成して、上記の縦横の圧縮比の異なる立体写真型の３次元立体映像信号を、フィールド毎に交互に右眼用、左眼用の映像信号が入った３次元立体映像信号（フィールドシーケンシャルな３次元立体映像信号）に変換して出力する。
【００２８】
このフィールドシーケンシャルな３次元立体映像信号を図４のようにテレビ画面８１に映し出し、このテレビ画面８１を画面に同期して右眼、左眼を塞ぐようにしたシャッター付き眼鏡９０をかけて見れば、多人数で良好な画質の立体画像を見ることができる。
【００２９】
以上のように、一つの画面を二つにわけ、左右の立体映像を入れるようにした、さらに縦方向はこの場合、縮尺せず横だけ縮めるようにしたので、縦方向の解像度はもとのままであり（縦横とも縮めた場合と比べれば）良好な画質となる。ここで、横方向はいれずにせよフルサイズの画面にするには、横方向に２画面分入れているわけだから、２倍以上に拡大しなければならないが、縦方向は圧縮比を横と同じ比率の半分にした場合、上下に余裕があることになる。そこで、縦横の圧縮比率を変えてやり、縦方向を横と比べて圧縮するのを少なくするようにすれば、あとで画面の最大サイズを拡大したとき、圧縮比が少なければ、拡大する率も少なくてすみたくさん拡大するのに比べて、より良好な画質を得ることができる。すなわち、縦横の圧縮比率を変え、縦方向をより緩やかな圧縮をすることにより、より良好な画質が得られる。特に、縦方向は全く圧縮せず、横方向だけ半分に圧縮すると、縦方向の画像解像度は落とさずにすみ、更に良好な画質が得られる。また、立体写真型からフィールドシーケンシャルな３次元立体映像信号に変換する場合、縦横共に拡大する場合はフィールドメモリーやフレームメモリーのような画像メモリーを必要とするが、横方向のみの拡大ならば、簡単なラインメモリーで済むというメリットも生ずる。
【００３０】
このように、ビデオカメラ本体３０に立体写真撮影用アダプター５と縦長アダプター６の両方を付けたときには、そのＩＤ信号がビデオカメラ本体３０から映像信号にのって出力され、これを３次元立体映像信号変換装置１が感知すると、自動的に横方向だけ２倍に伸ばして、フィールドシーケンシャルな３次元立体映像信号を出力する例を図３に示したが、図５はビデオカメラ本体３０に立体写真撮影用アダプター５だけを取り付け、縦長アダプター６を取り付けない場合の映像処理の例を示す。
【００３１】
図５（Ａ）に示すような情景ａ（海を背景にした女性の映像）を撮影する。この時、立体写真撮影用アダプター５によって、図５（Ｂ）に示すように、右眼で見た映像ｂＲと左眼で見た映像ｂＬが、一枚の画面ｂに半分半分になるようにされ、撮影レンズ３９に入光される（ここで、図３で使った同じビデオカメラ本体３０で図５（Ｂ）の画角の映像を撮影するには、カメラを被写体から離すか、ズームをより広角にする必要がある）。
【００３２】
この撮影レンズ３９を通った図５（Ｂ）に示す映像ｂはビデオカメラ本体３０のＣＣＤ３１に映って撮影される。そして、この映像ｂがビデオカメラ本体３０に内蔵されたＶＴＲ３５により記録／再生され、この際にビデオカメラ本体３０の映像信号出力端子３４ａから出力される。このとき、ビデオカメラ本体３０に立体写真撮影用アダプター５だけを取り付け、縦長アダプター６を取り付けてないので、図２で突起５４のみが挿入されることになり、図４で片方のスイッチ３６ａだけが入り、別の識別信号としてのＩＤ信号が３次元立体映像信号にのって出力されることになる。
【００３３】
次に、この３次元立体映像信号が図４の３次元立体映像信号変換装置１に入力されると、ＩＤ検出回路１８により、上記のＩＤ信号が検出され、図５（Ｃ）のように、ｄＲ，ｄＬで示される部分が３次元立体映像信号変換回路１２により切り取られて画面いっぱいに拡大され、図５（Ｄ），（Ｅ）のように、それぞれ画面いっぱいに拡大された拡大映像ｅＲ，ｅＬがフィールドシーケンシャルに出力される。すなわち、ビデオカメラ本体３０に立体写真撮影用アダプター５だけを取り付け、縦長アダプター６を取り付けないときは、別のＩＤ信号がビデオカメラ本体３０の映像信号にのって出力され、これを３次元立体映像信号変換装置１が感知すると、自動的に縦方向も横方向も２倍に伸ばして、フィールドシーケンシャルな３次元立体映像信号を出力する。この映像信号をＶＴＲ７によって録画／再生してシャッター付き眼鏡９０を介してテレビジョン受像機６０で見れば、多人数で立体視できる。
【００３４】
この縦方向も横方向も同じ比率に撮影する方法は、立体写真上にしたとき、縦横の圧縮比は変わらないので、そのままビデオプリントすれば、本当の立体写真として使えるし、また、小さいな小型モニタに映し出せば、直視平行法（遠くをながめる視線、つまり平行に近い視線で見る方法）による裸眼立体視も可能となるというメリットがある。
【００３５】
また、３次元立体映像信号変換装置１の入力に、通常の２Ｄの映像信号のような、ＩＤ信号のない映像信号が入ると、ＩＤ検出回路１８でチェックされ、映像切り替えスイッチ１９が図４中上に切り替わり映像信号は入力されたものがそのまま出力される。このように、立体写真法で撮影したビデオ信号を、通常の映像信号でも見ることができる。すなわち、立体写真法の映像は２画面のものだし、フィールドシーケンシャルな立体信号の映像は画面上では二重映しになってしまって普通には見られないが、立体写真法の右または左のみ映像を映し出し、通常の映像も見られるようにしてある。
【００３６】
図６は、第２の実施形態例の光学アダプター装置４′を示す。この光学アダプター装置４′のアナモルフィックレンズは、凹状の一対のシリンドリカルレンズ６１Ｌ，６１Ｒと、少し離れた所にある１枚の凸状のシリンドリカルレンズ６１Ｔからなる。この凹凸レンズを組み合わせることにより、レンズ収差をより軽減することができる。ここで一対のシリンドリカルレンズ６１Ｌ，６１Ｒを前後方向に移動可能なように構成して、被写体の距離にあわせて厳密に調整できるようにしてもよい。
【００３７】
また、突起５４，５６は各圧縮コイルバネ５７により押圧付勢されていて、強く押すとへこむようになっている。これにより、図２のビデオカメラ本体３０のように、挿入用の孔３０ａ，３０ｂが付いているビデオカメラ装置３に対しては突起５４，５６が挿入され、ビデオカメラ本体３０内のスイッチ３６ａ，３６ｂを入れるが、挿入用の孔３０ａ，３０ｂが付いていないタイプのビデオカメラ装置にも装着可能となり、この時、突起５４，５６はへこで立体写真撮影用アダプター５を取り付ける邪魔をしないようになる。なお、このときはＩＤ信号が出ないため、手動で３次元立体映像信号変換装置１を調節することになる。
【００３８】
図７は、第３の実施形態例の光学アダプター装置４″を示す。この光学アダプター装置４″は、２画面取り込み用に４枚の平面鏡ではなく、三角柱状のエッジプリズム５１を使用している。また、２つのアナモルフィックレンズの代わりに１枚の大きなシリンドリカルレンズ６１Ｌを使用している。さらに、取付部５３″はねじ込み式になっており、ねじ込んだ取付部５３″と立体写真撮影用アダプター５の本体は回転可能に構成され、立体写真撮影用アダプター５をビデオカメラ本体３０に取り付けた状態でその角度を調整できて大変コンパクトに構成することができるものである。
【００３９】
尚、前記各実施形態例によれば、立体写真型の映像を作るのに光学的な手段を用いたが、例えば２台のビデオカメラで左右の眼に相当する画像を撮影し、これを電気的な手段により映像を合成してもよい。また、立体写真型の映像信号をフィールドシーケンシャルな３次元立体映像信号に変換する方式を述べたが、これに限定されず、立体写真型から右眼と左眼の映像に相当する２つの別々の映像信号に変換するようにしてもよい。
【００４０】
【発明の効果】
以上のように、この発明のビデオカメラ装置によれば、立体写真撮影用の光学アダプター装置が装着されているか、及び、上記立体写真撮影用の光学アダプター装置は、画像の縦横の圧縮比を変える変換手段を有しているかどうか、について検出する検出手段を有しており、その検出結果と対応する識別信号を、撮影レンズに入光した３次元立体映像の映像信号に載せて出力するので、誰でも簡単に目的に合った３次元立体映像を撮影可能とし、撮影後の処理も所望の３次元立体映像信号に自動処理される。
【図面の簡単な説明】
【図１】この発明の第１の実施形態例を示すビデオカメラ装置及び３次元立体映像信号変換装置の斜視図。
【図２】上記ビデオカメラ装置のビデオカメラ本体と、該ビデオカメラ本体に着脱される立体写真撮影用の光学アダプター装置の斜視図。
【図３】（Ａ）は上記光学アダプター装置付きのビデオカメラ装置で撮影する背景の説明図、（Ｂ）は同ビデオカメラ装置のＣＣＤで撮影される左右の映像の説明図、（Ｃ）は同左右の映像が切り取られて拡大された左眼用の映像の説明図、（Ｄ）は同切り取られて拡大された右眼用の映像の説明図。
【図４】上記ビデオカメラ装置と３次元立体映像信号変換装置とＶＴＲ及びテレビジョン受像機からなる立体視システムのブロック図。
【図５】（Ａ）は光学アダプター装置のうち立体写真撮影用アダプターだけ取り付けて縦長アダプターを取り付けないでビデオカメラ装置により撮影する背景の説明図、（Ｂ）は同ビデオカメラ装置のＣＣＤで撮影される左右の映像の説明図、（Ｃ）は同左右の映像を切る取る際の説明図、（Ｄ）は同切り取られて拡大された左眼用の映像の説明図、（Ｅ）は同切り取られて拡大された右眼用の映像の説明図。
【図６】第２の実施形態例のビデオカメラ装置に用いられる光学アダプター装置の斜視図。
【図７】第３の実施形態例のビデオカメラ装置に用いられる光学アダプター装置の斜視図。
【符号の説明】
１…３次元立体映像信号変換装置、１８…ＩＤ検出回路（検出回路）、３…ビデオカメラ装置、３０…ビデオカメラ本体、３１…ＣＣＤ（撮像部）、３９…撮影レンズ、４，４′，４″…光学アダプター装置、５０…立体写真撮影用アダプターのケース（画像取り込み部）、６１Ｌ，６１Ｒ…アナモルフィックレンズ（変換手段）。
【図１】
0003612865.tif 000002
【図２】
0003612865.tif 000003
【図３】
0003612865.tif 000004
【図４】
0003612865.tif 000005
【図５】
0003612865.tif 000006
【図６】
0003612865.tif 000007
【図７】
0003612865.tif 000008